(57)【要約】【課題】体組成計において表示部を適正に前後スライドさせる技術を提供する。【解決手段】体組成計１０では、支柱２０の上端には、表示器ホルダー３０が設けられている。この表示器ホルダー３０に表示器６０が前後にスライド可能に連結される。さらに、表示器６０は、前後の向きを反転させて表示器ホルダー３０に連結することができる。そして、表示器６０を反転して連結した状態であっても、表示器６０は、前後にスライド可能になっている。【選択図】図２
2014039588.tif 000002
【特許請求の範囲】
【請求項１】
測定するために対象者が乗る乗り台と、
前記乗り台の上側に配設する表示器と、
前記表示器が前記乗り台の上側において前方向及び後方向のそれぞれの定位置へと摺動連結する摺動連結部と、
を備えることを特徴とする生体情報測定装置。
【請求項２】
前記摺動連結部は、前記表示器の連結状態を反転可能でかつ、反転した状態で前後方向に摺動可能であることを特徴とする請求項１に記載の生体情報測定装置。
【請求項３】
前記摺動連結部は、前後方向の摺動をガイドするガイド部を備えることを特徴とする請求項１又は２に記載の生体情報測定装置。
【請求項４】
前記乗り台に設けられた支柱と、前記支柱に取り付けられた前記表示器を収容する表示器ホルダーとを備え、
前記摺動連結部は、前記表示器に設けられた第１の連結部と、前記表示器ホルダーに設けられた第２の連結部とを備え、前記ガイド部は、前記表示器ホルダーに設けられており、前記第１の連結部と前記第２の連結部とは、一方の連結部に設けられたツメ形状と、他方の連結部に設けられ前記ツメ形状と嵌合する開口とが係止することで連結することを特徴とする請求項３に記載の生体情報測定装置。
【請求項５】
前記表示器を前記乗り台の上側に保持するための表示器ホルダーを有し、
前記表示器は、前記摺動連結部の要素として、前側係止穴配置凸部と後側係止穴配置凸部とを有し、
前記表示器ホルダーは、前記摺動連結部の要素として、中央係止部と前方サイド係止部と後方サイド係止部とを有し、
前記表示器が順方向の向きで前記表示器ホルダーに保持され、前記表示器が前記乗り台の奥側方向に摺動された際には、前記中央係止部の後側係止部が前記後側係止穴配置凸部の前側係止穴部に嵌まるとともに、前記前方サイド係止部が前記前側係止穴配置凸部の前側係止穴部に嵌まり、
前記表示器が前記乗り台の手前側方向に摺動された際には、前記中央係止部の前側係止部が前記前側係止穴配置凸部の後側係止穴部に嵌まるとともに、前記後方サイド係止部が前記後側係止穴配置凸部の後側係止穴部に嵌まる
ことを特徴とする請求項１に記載の生体情報測定装置。
【請求項６】
前記表示器が逆方向の向きで前記表示ホルダーに保持され、前記表示器が前記乗り台の奥側方向に摺動された際には、前記中央係止部の後側係止部が前記前側係止穴配置凸部の後側係止穴部に嵌まるとともに、前記前方サイド係止部が前記後側係止穴配置凸部の後側係止穴部に嵌まり、
前記表示器が前記乗り台の手前側方向に摺動された際には、前記中央係止部の前側係止部が前記後側係止穴配置凸部の前側係止穴部に嵌まるとともに、前記後方サイド係止部が前記前側係止穴配置凸部の前側係止穴部に嵌まる
ことを特徴とする請求項５に記載の生体情報測定装置。
【発明の詳細な説明】
【技術分野】
【０００１】
本発明は、生体情報測定装置に係り、表示器を備える体組成計や体重計などの生体情報測定装置に関する。
【背景技術】
【０００２】
ユーザが測定部本体（体組成計本体）に載った状態のまま表示部（ディスプレイユニット）を操作可能とした体組成計が知られている（例えば、特許文献１参照）。具体的には、体組成計本体の前方において支柱が固定され、支柱が鉛直方向に立ち上がっている。ディスプレイユニットはタッチスクリーンパネルが組み込まれ、ユーザの体重等の各種情報が表示されるとともに、ユーザ等からの指示を受け付ける。
【先行技術文献】
【特許文献】
【０００３】
【特許文献１】特開２０１０−１１９０６号公報
【発明の概要】
【発明が解決しようとする課題】
【０００４】
ところで、体組成計や体重計のような生体情報測定装置においては、使用のときには固定されている。したがって、図１（ａ）に示すように、平均的な体格のユーザ４９０ａであれば、想定される体組成計本体（測定台）４１１の理想位置に載ることができるので、表示部４６０との距離を適正に保つことができる。一方、図１（ｂ）に示すように、体格の大きなユーザ４９０ｂの場合、ユーザ４９０ｂと表示部４６０とが接触してしまう恐れがあることから、場合によっては、ユーザ４６０ｂは体組成計本体（測定台）４１１の後方部分に載る必要がある。その場合、ユーザ４９０ｂと表示部４６０との距離が遠くなってしまい、視認性が低下したり、操作性が低下したりするという課題があった。
【０００５】
本発明は以上のような状況に鑑みなされたものであって、上記課題を解決する技術を提供することを目的とする。
【課題を解決するための手段】
【０００６】
本発明の生体情報測定装置は、測定するために対象者が乗る乗り台と、前記乗り台の上側に配設する表示器と、前記表示器が前記乗り台の上側において前方向及び後方向のそれぞれの定位置へと摺動連結する摺動連結部と、を備える。
また、前記摺動連結部は、前記表示器の連結状態を反転可能でかつ、反転した状態で前後方向に摺動可能であってもよい。
また、前記摺動連結部は、前後方向の摺動をガイドするガイド部を備えてもよい。
また、前記乗り台に設けられた支柱と、前記支柱に取り付けられた前記表示器を収容する表示器ホルダーとを備え、前記摺動連結部は、前記表示器に設けられた第１の連結部と、前記表示器ホルダーに設けられた第２の連結部とを備え、前記ガイド部は、前記表示器ホルダーに設けられており、前記第１の連結部と前記第２の連結部とは、一方の連結部に設けられたツメ形状と、他方の連結部に設けられ前記ツメ形状と嵌合する開口とが係止することで連結してもよい。
また、前記表示器を前記乗り台の上側に保持するための表示器ホルダーを有し、前記表示器は、前記摺動連結部の要素として、前側係止穴配置凸部と後側係止穴配置凸部とを有し、前記表示器ホルダーは、前記摺動連結部の要素として、中央係止部と前方サイド係止部と後方サイド係止部とを有し、前記表示器が順方向の向きで前記表示器ホルダーに保持され、前記表示器が前記乗り台の奥側方向に摺動された際には、前記中央係止部の後側係止部が前記後側係止穴配置凸部の前側係止穴部に嵌まるとともに、前記前方サイド係止部が前記前側係止穴配置凸部の前側係止穴部に嵌まり、前記表示器が前記乗り台の手前側方向に摺動された際には、前記中央係止部の前側係止部が前記前側係止穴配置凸部の後側係止穴部に嵌まるとともに、前記後方サイド係止部が前記後側係止穴配置凸部の後側係止穴部に嵌まってもよい。
また、前記表示器が逆方向の向きで前記表示ホルダーに保持され、前記表示器が前記乗り台の奥側方向に摺動された際には、前記中央係止部の後側係止部が前記前側係止穴配置凸部の後側係止穴部に嵌まるとともに、前記前方サイド係止部が前記後側係止穴配置凸部の後側係止穴部に嵌まり、前記表示器が前記乗り台の手前側方向に摺動された際には、前記中央係止部の前側係止部が前記後側係止穴配置凸部の前側係止穴部に嵌まるとともに、前記後方サイド係止部が前記前側係止穴配置凸部の前側係止穴部に嵌まってもよい。
【発明の効果】
【０００７】
本発明によれば、生体情報測定装置において表示器を適正に前後スライドさせる技術を実現できる。
【図面の簡単な説明】
【０００８】
【図１】従来技術に係る、体組成計の利用形態の一例を示す図である。
【図２】実施形態に係る、体組成計の側面を模式的に示す図である。
【図３】実施形態に係る、体組成計の斜視図である。
【図４】実施形態に係る、表示器ホルダーの斜視図である。
【図５】実施形態に係る、表示器の下側から見た斜視図である。
【図６】実施形態に係る、表示器ホルダーと表示器が連結した状態を示す図である。
【図７】実施形態に係る、図６（ｂ）の領域Ａを拡大して示す断面図である。
【図８】実施形態に係る、表示器を順方向に連結する手順を模式的に示した図である。
【図９】実施形態に係る、表示器を逆方向に連結する手順を模式的に示した図である。
【図１０】実施形態の変形例に係る、体組成計の斜視図である。
【図１１】実施形態の変形例に係る、体組成計の斜視図である。
【図１２】実施形態の変形例に係る、表示器の背面図及びその一部拡大図である。
【発明を実施するための形態】
【０００９】
次に、本発明を実施するための形態（以下、単に「実施形態」という）を、図面を参照して具体的に説明する。まず、図２を参照して、本実施形態の概要について説明する。本実施の形態では、生体情報測定装置の一形態として体組成計１０について例示するが、本発明を適用可能な装置として体重計や重心動揺計等がある。まず、図２の側面模式図のように、本実施形態の体組成計１０では、支柱２０の上端に表示器ホルダー３０が設けられ、この表示器ホルダー３０に表示器６０が前後にスライド（摺動）可能に連結される。さらに、図２（ｂ）に示すように、表示器６０は、取り外して前後の向きを反転可能になっており、反転した状態であっても、前後にスライド可能に連結される。表示器ホルダー３０と表示器６０の連結の為の構成として、体組成計１０は摺動連結部９０を有する。具体的には、摺動連結部９０は、図５で後述する表示器６０に設けられた表示器側連結部７０（第１の連結部）と、図４で後述する表示器ホルダー３０に設けられたホルダー側連結部４０（第２の連結部）とを有する。
【００１０】
なお、図２（ａ）で示す表示器６０の向きを順向きとし、図２（ｂ）で示す向きを逆向きとして説明する。また、図中の矢印Ｘ１が指す向きを後方向（手前）、矢印Ｘ２が指す向きを前方向（奥）、矢印Ｙ１が指す向きを左方向、矢印Ｙ２が指す向きを右方向として説明する。さらにまた、矢印Ｚ１が示す向きを鉛直上方向、矢印Ｚ２が示す向きを鉛直下方向として説明する。
【００１１】
表示器上面６１は、図２（ａ）の順向きの状態で、奥から手前に向かって下方向に傾斜している。この傾斜部分に表示パネルが設けられていることから測定台１１に載った状態のユーザが視認しやすいようになっている。逆に図２（ｂ）の逆向きの状態では、測定台１１に載った状態のユーザからは視認しづらいが、表示器６０より前方に立った操作者等の別の者から視認しやすくなる。
【００１２】
図３に体組成計１０の全体斜視図を示す。図示のように、体組成計１０は、測定台１１と、支柱２０と、表示器ホルダー３０及び表示器６０とを備えている。なお、表示器ホルダー３０の詳細については主に図４に示すが、表示器ホルダー３０は、ホルダー本体３０ａと把持電極収容部３０ｂとを備えて形成されている。さらに、ホルダー本体３０ａの把持電極収容部３０ｂの収容開口部３３には、略筒状の把持電極ユニット１５を収容可能になっている。
【００１３】
測定台１１は、一般的な体組成計の機能を実現する構成となっており、上面に設けられた乗り台、重量測定回路（ロードセル）及びインピーダンス測定回路等を有している。ロードセルによる体重の測定結果は、増幅及びＡＤ変換され所定の制御装置（マイコン）に送信される。同様に、測定台１１の上面（乗り台）に形成された電極１１ａ及び把持電極ユニット１５の電極１５ａによるインピーダンス測定結果についても、ＡＤ変換され所定の制御装置（マイコン）に通知される。そして制御装置（マイコン）によって算出された体重及び体脂肪率、体内年齢等が表示器６０に通知され、表示器上面６１の表示画面に表示される。なお、本実施形態は、測定台１１の測定機能を実現する部分と乗り台の部分とが別体に構成された体組成計１０についても、適用することができる。
【００１４】
測定台１１の前方（図中矢印Ｘ２）の中央の所定位置から鉛直方向（図中矢印Ｚ１）に支柱２０が立ち上がって固定されている。
【００１５】
支柱２０の上端部と表示器ホルダー３０のホルダー底面３２とを例えばネジやボルト等で接続することで、支柱２０と表示器ホルダー３０とが固定されている。この表示器ホルダー３０に表示器６０が連結される。表示器６０は、上述のように向きを前後反転して連結可能になっている。さらに、表示器６０は、前後方向（図中矢印Ｘ１、Ｘ２）にスライド可能であるとともに、向きを反対にした場合であっても、前後方向にスライド可能である。
【００１６】
図４は、表示器ホルダー３０を斜め上から見た斜視図である。上述のように、表示器ホルダー３０は、ホルダー本体３０ａと、二つの把持電極収容部３０ｂとを備えており、例えば樹脂で一体に形成されている。ホルダー本体３０ａは上面視で略矩形の形状を呈している。また、把持電極収容部３０ｂは、ホルダー本体３０ａの左右それぞれに略三角形に延出して形成されている。把持電極収容部３０ｂの先端には筒状の開口として収容開口部３３が形成され、把持電極ユニット１５が収容可能になっている。ここで、収容開口部３３の手前側（図中矢印Ｘ１側）は、把持電極ユニット１５に接続されるケーブルを通過できるように、取り除かれた形状となっている。
【００１７】
ホルダー本体３０ａのホルダー上面３１には、ホルダー側連結部４０が形成されている。このホルダー側連結部４０と表示器６０に設けられた後述する表示器側連結部７０（例えば図５参照）とがスライド可能に連結する。
【００１８】
ホルダー本体３０ａにおいて、所定深さの連結凹部４１が、上面視（矢印Ｚ１側から視た状態）で矩形形状に形成されている。連結凹部４１の手前側（矢印Ｘ１側）は、表示器ホルダー３０の手前側外縁近くまで形成されている。連結凹部４１の奥側（矢印Ｘ２側）は、壁面が取り除かれた状態となっている。なお、連結凹部４１の奥側（矢印Ｘ２側）の底面部分は、左右の所定構造（前方サイド係止部４４）を除いて、連結等に関係のない部分が取り除かれた構造となっている。
【００１９】
また、連結凹部４１の左右の側壁部４２は、前後方向に直線状に形成されており、表示器６０の前後方向の移動のガイドとして機能する。詳細は後述するが、両側の側壁部４２の間の距離Ｄ１は、表示器６０の表示器側連結部７０（前側係止穴配置凸部７１、後側係止穴配置凸部７６）の幅ｄ１、ｄ２より若干広く形成されている。その結果、表示器側連結部７０（前側係止穴配置凸部７１及び後側係止穴配置凸部７６）は、側壁部４２をガイドに円滑に前後にスライド可能になっている。
【００２０】
連結凹部４１の手前側の両隅には、図示のようにそれぞれ後方サイド係止部４３が凹状形状の上端部分から内側に向かって形成されている。言い換えると、後方サイド係止部４３は、ツメ状の形状を呈している。また、連結凹部４１の前方側の両隅には前方サイド係止部４４が、後方サイド係止部４３と同様にツメ状に形成されている。そして、後方サイド係止部４３および前方サイド係止部４４は、後述する表示器６０の表示器側連結部７０の後側係止穴部７７又は前側係止穴部７２に嵌まって係止する。それら係止状態については後述する。
【００２１】
さらに、連結凹部４１の前後方向の略中央には、左右に並んで左右対称の二つの中央係止部４５が形成されている。二つの中央係止部４５は断面Ｔ字状となっている。つまり、断面視で、上端部において前後方向にツメ状形状が形成されている。奥側（矢印Ｘ２側）のツメ状形状が中央前側係止部４８となり、手前側（矢印Ｘ１側）のツメ状形状が中央後側係止部４６となる。中央後側係止部４６の下側には開口４７が形成されている。同様に、中央前側係止部４８の下側には開口４９が形成されている。なお、中央係止部４５の断面構造については、後述の図８（ａ）の簡易模式図を参照してもよい。
【００２２】
また、ホルダー本体３０ａのホルダー上面３１において、連結凹部４１の左右それぞれの外側領域には、後方側の後側係止穴５１と、前方側の前側係止穴５２とが前後方向に並んで形成されている。後側係止穴５１及び前側係止穴５２には、後述する表示器６０の位置決付勢部６９が選択的に嵌まるようになっている。
【００２３】
図５は、表示器６０を下から見た斜視図である。図示のように、表示器６０は、奥側に、ユーザの取り扱いの利便性の観点で、把持バー６３を備える。また、表示器６０の表示器下面６２は、表示器側連結部７０として、位置決付勢部６９、前側係止穴配置凸部７１及び後側係止穴配置凸部７６とを備える。前側係止穴配置凸部７１と後側係止穴配置凸部７６の位置関係は、前側係止穴配置凸部７１が奥側（矢印Ｘ２側）で、後側係止穴配置凸部７６が手前側（矢印Ｘ１側）である。
【００２４】
具体的には、前側係止穴配置凸部７１は、左右対称の形状であって、幅方向を長手方向とする直方体状に凸状を呈している。前側係止穴配置凸部７１の幅ｄ１は、上述したように、ホルダー側連結部４０の両側壁部４２の間隔Ｄ１より若干狭くなっている。また、前側係止穴配置凸部７１の高さは、表示器ホルダー３０の連結凹部４１の深さと略一致している。つまり、ホルダー側連結部４０と表示器側連結部７０とが連結した状態で、前側係止穴配置凸部７１の下側端面が、連結凹部４１の底面に当接する、又は若干離間した状態となる。
【００２５】
前側係止穴配置凸部７１の前方側の両隅には、図示のように、前壁部分と側壁部分が切り取られた空間となっている前側係止穴部７２が形成されている。前側係止穴部７２には、後方サイド係止部４３又は前方サイド係止部４４が選択的に嵌め込まれる。なお、前側係止穴部７２の表示器６０内部側（矢印Ｚ１方向）は開口７４ｂとなっている。
【００２６】
前側係止穴配置凸部７１の後側の壁面の所定位置には二つの後側係止穴部７３が形成されている。後側係止穴部７３は、ホルダー側連結部４０の中央係止部４５（中央後側係止部４６又は中央前側係止部４８）が嵌め込まれる。なお、後側係止穴部７３の表示器６０内部側（矢印Ｚ１方向）は開口７４ａとなっている。
【００２７】
組をなす二つの後側係止穴配置凸部７６は、ちょうど前側係止穴配置凸部７１の中央部分を取り除いた形状となっている。つまり、表示器下面６２において、前側係止穴配置凸部７１より手前側（図中矢印Ｘ１）に、左右二つの後側係止穴配置凸部７６が前側係止穴配置凸部７１と同じ高さで形成されている。また、後側係止穴配置凸部７６は、左右対称であって、奥側の壁面には前側係止穴部７８が形成されている。そして、左側の後側係止穴配置凸部７６の左側面から右側の後側係止穴配置凸部７６の右側面までの距離ｄ２は、前側係止穴配置凸部７１の幅ｄ１と同じ幅で、ホルダー側連結部４０の両側壁部４２の間隔Ｄ１より若干狭くなっている。
【００２８】
前側係止穴部７８には、後側係止穴部７３と同様に、ホルダー側連結部４０の中央係止部４５（中央後側係止部４６又は中央前側係止部４８）が嵌め込まれる。なお、前側係止穴部７８の上側部分（表示器６０内部側；矢印Ｚ１方向）は、開口７９ｂとなっている。
【００２９】
また、後側係止穴配置凸部７６の手前側の外側隅に後側係止穴部７７が形成されている。つまり、左側の後側係止穴配置凸部７６には、手前左側の隅に後側係止穴部７７が形成されている。同様に、右側の後側係止穴配置凸部７６には、手前右側の隅に後側係止穴部７７が形成されている。後側係止穴部７７の上側部分（表示器６０内部側；矢印Ｚ１方向）は、開口７９ａとなっている。後側係止穴部７７には、ホルダー側連結部４０の後方サイド係止部４３又は前方サイド係止部４４が選択的に嵌め込まれる。
【００３０】
位置決付勢部６９は、垂直方向に撓むことが可能であって、表示器６０が前後方向にスライドするときには、表示器ホルダー３０のホルダー上面３１に押されて表示器６０の内側に位置する。そして、表示器ホルダー３０が手前側にシフトした状態では、位置決付勢部６９は、後側係止穴５１に嵌まる。また、表示器ホルダー３０が奥側にシフトしたときには、位置決付勢部６９は、前側係止穴５２に嵌まる。これによって、表示器６０のシフト位置が定まる。なお、本実施形態では、前後２つの位置にシフトするように構成されているが、後側係止穴５１及び前側係止穴５２で示した係止穴をさらに多く形成することで、シフト位置、つまり、表示器６０の前後の位置を増加させることができる。
【００３１】
つづいて、主に図４〜図９を参照して、表示器ホルダー３０と表示器６０との連結状態について説明する。図６（ａ）は表示器ホルダー３０と表示器６０の連結状態の平面図であり、図６（ｂ）は図６（ａ）のＢ−Ｂ断面図である。図６の連結状態は、表示器６０が順向きであり、かつ奥側にシフトした状態である。また、図７は、図６（ｂ）の領域Ａを拡大して示している。さらに、図８は表示器６０を順方向の向きに連結して前後にシフトする場合の構造について、連結構造に着目して模式的に示した図である。図９は表示器６０を逆方向の向きに連結して前後にシフトする場合の構造について、連結構造に着目して模式的に示した図である。なお、図８、９では、便宜的に、表示器ホルダー３０と表示器６０の連結に関連する構造を一列に配置して示している。
【００３２】
まず、表示器６０を順方向の向きに連結する手順について説明する。図８（ａ）に示すように、表示器６０が表示器ホルダー３０の上側に移動される。つづいて、図８（ｂ）に示すように、中央係止部４５が前側係止穴配置凸部７１と後側係止穴配置凸部７６の間に位置するように、表示器６０が配置される。つづいて、表示器６０は所望の方向にシフトされ、前後いずれかにその位置が定まる。
【００３３】
ここで、図８（ｃ）に示すように、表示器６０が奥側（図中矢印Ｘ２方向側）に位置した状態では、中央係止部４５の中央後側係止部４６が、後側係止穴配置凸部７６の前側係止穴部７８に嵌まる（矢印Ａ１１）。また、前方サイド係止部４４が、前側係止穴配置凸部７１の前側係止穴部７２に嵌まる（矢印Ａ１２）。
【００３４】
また、図８（ｄ）に示すように、表示器６０が手前側（図中矢印Ｘ１方向側）に位置した状態では、中央係止部４５の中央前側係止部４８が、前側係止穴配置凸部７１の後側係止穴部７３に嵌まる（矢印Ａ２１）。また、後方サイド係止部４３が、後側係止穴配置凸部７６の後側係止穴部７７に嵌まる（矢印Ａ２２）。
【００３５】
つづいて、表示器６０を逆方向の向きに連結する手順について説明する。表示器６０が順向きに連結されていた場合、上記図８で示した手順と逆の操作によって、連結状態が解除される。そして、図９（ａ）に示すように、表示器６０が表示器ホルダー３０の上側に逆向きの状態に移動される。つづいて、図９（ｂ）に示すように、中央係止部４５が前側係止穴配置凸部７１と後側係止穴配置凸部７６の間に位置するように、表示器６０が配置される。このとき、図８（ｂ）で示した状態とは逆に、前側係止穴配置凸部７１が手前側（図示矢印Ｘ１側）に配置され、後側係止穴配置凸部７６が奥側（図中矢印Ｘ２側）に配置される。つづいて、表示器６０は所望の方向にシフトされ、前後いずれかにその位置が定まる。
【００３６】
ここで、図９（ｃ）に示すように、表示器６０が奥側（図中矢印Ｘ２方向側）に位置した状態では、中央係止部４５の中央後側係止部４６が、前側係止穴配置凸部７１の後側係止穴部７３に嵌まる（矢印Ｂ１１）。また、前方サイド係止部４４が、後側係止穴配置凸部７６の後側係止穴部７７に嵌まる（矢印Ｂ１２）。
【００３７】
また、図９（ｄ）に示すように、表示器６０が手前側（図中矢印Ｘ１方向側）に位置した状態では、中央係止部４５の中央前側係止部４８が、後側係止穴配置凸部７６の前側係止穴部７８に嵌まる（矢印Ｂ２１）。また、後方サイド係止部４３が、前側係止穴配置凸部７１の前側係止穴部７２に嵌まる（矢印Ｂ２２）。
【００３８】
このように、表示器ホルダー３０と表示器６０との連結は、表示器６０の向きが逆になっても前後方向にスライドし且つ連結状態が適正に維持される。したがって、ユーザの体格が大きい場合等であっても、適正な位置で測定を行うことができる。また、表示器６０を見る者が被測定者以外の者であっても、視認性を維持することができる。例えば、図２（ｂ）の状態において、体組成計１０の奥側（図中矢印Ｘ２の方向）に位置した者が、測定結果を被測定者に説明する場合に、測定結果の表示をホールドした状態で、表示器６０を一旦取り外して向きを図２（ａ）に置き換えるといった使用が可能となる。
【００３９】
以上、本発明を実施形態をもとに説明した。この実施形態は例示であり、それらの各構成要素の組み合わせ等にいろいろな変形例が可能なこと、またそうした変形例も本発明の範囲にあることは当業者に理解されるところである。
【００４０】
図１０〜１２に変形例に係る体組成計１１０を示す。図１０は体組成計１１０の斜視図であり、表示器６０と表示器ホルダー３０とが分離した状態を示している。つまり、摺動連結部１９０を構成するホルダー側連結部１４０と表示器側連結部１７０とが分離した状態を示している。なお、ここでは、支柱１２０、表示器ホルダー１３０及び表示器１６０を示しており、測定台の図示は省略している。また、図１１は、表示器１６０と表示器ホルダー１３０とを奥下側から見た斜視図である。また、図１２（ａ）は表示器１６０の底面図であり、図１２（ｂ）は手前下側から見た斜視図であり、図１２（ｃ）は図１２（ｂ）の領域Ｃ（位置決付勢部１６９）の拡大図である。
【００４１】
具体的には、表示器１６０の表示器下面１６２には、断面Ｔ字状の表示器側連結部１７０が形成されている。この表示器側連結部１７０は、底面視で矩形形状であり、かつ断面が逆Ｔ字状形状である。断面逆Ｔ字状形状として、左右に嵌合片１７４が延出して形成されている。
【００４２】
表示器下面１６２の表示器側連結部１７０の両サイドには、バネ性を有する位置決付勢部１６９が形成されている。図１２（ｃ）に示すように、位置決付勢部１６９は、表示器下面１６２の所定の部分において周囲をスリット状の開口１６９ａが設けられることで形成されており、延出するベース部１６９ｂ及びその先端に設けられた凸状の当接部１６９ｃで構成されている。
【００４３】
一方、表示器ホルダー１３０のホルダー上面１３１には、ホルダー側連結部１４０が形成されている。ホルダー側連結部１４０は、連結凹部１４１、後側係止穴１５１、前側係止穴１５２を備えて構成されている。図示のように、この連結凹部１４１は、ホルダー上面１３１の前後の壁面が取り除かれ前後に貫通するように形成されている。さらに、連結凹部１４１を形成する左右の側壁部１４２には嵌合溝１４４が形成されている。嵌合溝１４４に、上述の嵌合片１７４が前後にスライド可能に嵌め合わせられる。つまり、嵌合溝１４４及び嵌合片１７４によって前後移動の際のガイド機能が実現される。
【００４４】
また、ホルダー上面１３１では、連結凹部１４１の左右外側のそれぞれの領域には、後側係止穴１５１、前側係止穴１５２が前後に並んで形成されている。これら後側係止穴１５１及び前側係止穴１５２に位置決付勢部６９の当接部１６９ｃが係止する。つまり、前後方向にスライドしたときの位置決め手段として、位置決付勢部１６９と後側係止穴１５１、前側係止穴１５２が用いられる。
【００４５】
このような構成においても、表示器１６０を前後の何れの方向を向けても表示器ホルダー１３０に連結できる。つまり、いずれの前後何れの方向からも表示器側連結部１７０をホルダー側連結部１４０に嵌めこみ、連結・移動させることができる。
【００４６】
なお、上述の実施形態及び変形例では、表示器６０、１６０は表示器ホルダー３０、１３０に連結された。そのような構成に限らず、表示器ホルダー３０、１３０の機能を実現する形状等が支柱２０、１２０に直接設けられてもよい。また、表示器６０、１６０が支柱２０、１２０に取り付けられる構成に限らず、測定台１１に取り付けられる構成であってもよい。つまり、表示器ホルダー３０等のホルダー側連結部４０と同様の構成の表示器ホルダー部が測定台１１に形成されてもよい。また、支柱２０が測定台１１に直接設けられる構成に限らず、支柱２０が所定の連結部材を介して測定台１１と並設される構成であってよい。
【符号の説明】
【００４７】
１０、１１０  体組成計
１１  測定台
１１ａ、１５ａ  電極
１５  把持電極ユニット
２０、１２０  支柱
３０、１３０  表示器ホルダー
３０ａ  ホルダー本体
３０ｂ  把持電極収容部
３１、１３１  ホルダー上面
３３  収容開口部
４０、１４０  ホルダー側連結部（第２の連結部）
４１、１４１  連結凹部
４２、１４２  側壁部
４３  後方サイド係止部
４４  前方サイド係止部
４５  中央係止部
４６  中央後側係止部
４７、４９、７４ａ、７４ｂ、７９ａ、７９ｂ  開口
４８  中央前側係止部
５１、１５１  後側係止穴
５２、１５２  前側係止穴
６０、１６０  表示器
６１、１６１  表示器上面
６２、１６２  表示器下面
６３  把持バー
６９、１６９  位置決付勢部
７０、１７０  表示器側連結部（第１の連結部）
７１  前側係止穴配置凸部
７２  前側係止穴部
７３  後側係止穴部
７６  後側係止穴配置凸部
７７  後側係止穴部
７８  前側係止穴部
９０、１９０  摺動連結部
１４４  嵌合溝
１７４  嵌合片
【図１】
2014039588.tif 000003
【図２】
2014039588.tif 000004
【図３】
2014039588.tif 000005
【図４】
2014039588.tif 000006
【図５】
2014039588.tif 000007
【図６】
2014039588.tif 000008
【図７】
2014039588.tif 000009
【図８】
2014039588.tif 000010
【図９】
2014039588.tif 000011
【図１０】
2014039588.tif 000012
【図１１】
2014039588.tif 000013
【図１２】
2014039588.tif 000014